(57)【要約】【課題】ゴム栓ホルダが過度の力で離脱方向に押圧されることを防ぎつつ、防水性を高めることが可能な防水コネクタを提供する。【解決手段】筒状部３９が後部に設けられているハウジング３０と、筒状部３９に嵌め入れられるゴム栓５０と、ゴム栓５０の離脱を防ぐゴム栓ホルダ６０と、を有し、ゴム栓ホルダ６０は、ゴム栓５０の後面と対向する後壁６１を有し、ハウジング３０及びゴム栓ホルダ６０は、互いに前後方向に係止してゴム栓ホルダ６０の離脱を防ぐロック構造４１，６６を有し、ゴム栓５０は、同ゴム栓５０の外周面に突設されて筒状部３９の後端部とゴム栓ホルダ６０の後壁６１との間に配される鍔部５６を有し、鍔部５６は、前方に突出して筒状部３９の後端部に当接する突条部５７を有し、筒状部３９の後端部と突条部５７との当接面の少なくとも一方に、前後方向に対して傾斜した傾斜面４４，５８が形成されている。【選択図】図１０
2018160315.tif 000002
【特許請求の範囲】
【請求項１】
電線の端末部に接続された端子金具が内部に収容されるとともに後方に開口する筒状部が後部に設けられているハウジングと、
前記筒状部に嵌め入れられ、前記筒状部の内側を通って後方に引き出される前記電線の外周面に液密状に密着するとともに前記筒状部の内周面に液密状に密着するゴム栓と、
前記ゴム栓の後側に取り付けられて前記ゴム栓の離脱を防ぐゴム栓ホルダと、を有し、
前記ゴム栓ホルダは、前記ゴム栓の後面と対向する後壁を有し、
前記ハウジング及び前記ゴム栓ホルダは、互いに前後方向に係止して前記ゴム栓ホルダの離脱を防ぐロック構造を有し、
前記ゴム栓は、同ゴム栓の外周面に突設されて前記筒状部の後端部と前記ゴム栓ホルダの後壁との間に配される鍔部を有し、
前記鍔部は、前方に突出して前記筒状部の後端部に当接する突条部を有し、
前記筒状部の後端部と前記突条部との当接面の少なくとも一方に、前記前後方向に対して傾斜した傾斜面が形成されている防水コネクタ。
【請求項２】
前記傾斜面が、前記筒状部の後端部に形成され、前記筒状部の後端部のうち外周側の縁に沿って設けられている請求項１に記載の防水コネクタ。
【発明の詳細な説明】
【技術分野】
【０００１】
本発明は、防水コネクタに関する。
【背景技術】
【０００２】
従来、コネクタ内部への水の浸入が防止される防水コネクタが知られている。例えば下記特許文献１に記載の防水コネクタは、ハウジングの後部に設けられた筒状部にゴム栓が嵌め込まれている。ゴム栓は、筒状部の内側を通って後方に引き出されている電線の外周面に液密状に密着するとともに、筒状部の内周面に液密状に密着する。ゴム栓の後側には、ゴム栓の離脱を防ぐゴム栓ホルダが取り付けられている。ゴム栓ホルダは、ゴム栓の後面と対向する後壁と、ハウジングの外面に突設された係止突起に係止可能な弾性係止片とを備えている。係止突起と弾性係止片とが前後方向（ゴム栓ホルダの離脱方向）に係止することにより、ゴム栓ホルダの離脱が防止される。
【先行技術文献】
【特許文献】
【０００３】
【特許文献１】特開２０１２−２８０７３公報
【発明の概要】
【発明が解決しようとする課題】
【０００４】
しかしながら、上記のような構成では、筒状部の後端部とゴム栓ホルダの後壁との間に隙間が生じる虞があり、この隙間に水がたまると、毛細管現象でコネクタ内部に水が引き込まれる懸念が生じる。このような懸念が生じることは、防水コネクタの防水性を高める上で望ましくない。
【０００５】
そこで、ゴム栓に、筒状部の後端部とゴム栓ホルダの後壁との間に挟み込まれる部分（挟持部と称する）を設けることが考えられる。ゴム栓の外周面に挟持部を突出して設けることにより、この挟持部が筒状部の後端部とゴム栓ホルダの後壁とに挟み込まれて、両者に弾性的に密着し、筒状部の後端部とゴム栓ホルダの後壁との間の隙間は塞がれると思われる。
【０００６】
しかしながら、このような構成では、挟持部の弾発力によって、ゴム栓ホルダの後壁が後向き（離脱方向）に押圧された状態になる。ゴム栓ホルダが過度の力で離脱方向に押圧されると、係止突起と弾性係止片との係止面に過度の力が作用し続けることになるので望ましくない。
【０００７】
本発明は上記のような事情に基づいて完成されたものであって、ゴム栓ホルダが過度の力で離脱方向に押圧されることを防ぎつつ、防水性を高めることが可能な防水コネクタを提供することを目的とする。
【課題を解決するための手段】
【０００８】
本発明の防水コネクタは、電線の端末部に接続された端子金具が内部に収容されるとともに後方に開口する筒状部が後部に設けられているハウジングと、前記筒状部に嵌め入れられ、前記筒状部の内側を通って後方に引き出される前記電線の外周面に液密状に密着するとともに前記筒状部の内周面に液密状に密着するゴム栓と、前記ゴム栓の後側に取り付けられて前記ゴム栓の離脱を防ぐゴム栓ホルダと、を有し、前記ゴム栓ホルダは、前記ゴム栓の後面と対向する後壁を有し、前記ハウジング及び前記ゴム栓ホルダは、互いに前後方向に係止して前記ゴム栓ホルダの離脱を防ぐロック構造を有し、前記ゴム栓は、同ゴム栓の外周面に突設されて前記筒状部の後端部と前記ゴム栓ホルダの後壁との間に配される鍔部を有し、前記鍔部は、前方に突出して前記筒状部の後端部に当接する突条部を有し、前記筒状部の後端部と前記突条部との当接面の少なくとも一方に、前記前後方向に対して傾斜した傾斜面が形成されているものである。
【発明の効果】
【０００９】
本発明によれば、鍔部及び突条部によって、筒状部の後端部とゴム栓ホルダの後壁との間の隙間が塞がれるから、防水性を高めることができる。また、筒状部の後端部と突条部との当接面の少なくとも一方に形成された傾斜面によって、鍔部及び突条部の弾発力が前後方向に対して交差する方向に分散されるので、ゴム栓ホルダが過度の力で離脱方向に押圧されることを防ぐことができる。
【図面の簡単な説明】
【００１０】
【図１】本実施例におけるコネクタであって、相手側コネクタとの正規嵌合状態を示す断面図
【図２】コネクタを示す分解斜視図
【図３】ハウジングを示す斜視図
【図４】ゴム栓を示す斜視図
【図５】前方から見たコネクタを示す斜視図
【図６】後方から見たコネクタを示す斜視図
【図７】コネクタを示す平面図
【図８】コネクタを示す底面図
【図９】コネクタを示す側面図
【図１０】コネクタを示す断面図
【発明を実施するための形態】
【００１１】
本発明の好ましい形態を以下に示す。
本発明の防水コネクタは、前記傾斜面が、前記筒状部の後端部に形成され、前記筒状部の後端部のうち外周側の縁に沿って設けられているものとしてもよい。このような構成によれば、傾斜面に当接した突条部が外側へ逃げることができる。
【００１２】
＜実施例１＞
以下、本発明を具体化した一実施例について、図１〜図１０を参照しつつ詳細に説明する。
本実施例における防水コネクタ（以後、単にコネクタＣと称する）は、シールドケーブル（電線）１０の端末部に接続されるシールドコネクタである。コネクタＣは、例えば電気自動車やハイブリット自動車などの車両に搭載される通信用のコネクタであり、バックモニタカメラなどの車載カメラモジュールに設けられた相手側コネクタ８０と接続される。
【００１３】
以下、各構成部材において、両コネクタＣ，８０における嵌合面側（コネクタＣにおいては図１の左側、相手側コネクタ８０においては図１の右側）をそれぞれ前方とし、また、図１の上側（両コネクタＣ，８０のロック構造が設けられている側）を上方、下側を下方として説明する。
【００１４】
シールドケーブル１０は、高速通信が可能なケーブルであって、信号線としての複数の電線１１と、電線１１を一括して包囲するシールド部材１２と、シールド部材１２の外周を覆う絶縁性のシース１３とを有している。シールド部材１２としては、例えば金属素線を編み込んだ編組部材や、アルミ箔等の金属箔を用いることができる。
【００１５】
コネクタＣは、シールドケーブル１０の端末部に接続されたシールド端子（端子金具）２０が内部に収容されるハウジング３０を備えている。
シールド端子２０は、コネクタＣと相手側コネクタ８０との正規嵌合時に、後述する相手側シールド端子８３のタブ部８４が挿入されて接続される雌型の端子金具である。シールド端子２０は、各電線１１の端末部に接続された内導体２１と、内導体２１を収容する誘電体２２と、誘電体２２の外面を覆う外導体２３とを備えている（図２参照）。内導体２１は、半田付けにより各電線１１の端末部に固着されている。誘電体２２は、絶縁性の合成樹脂材により形成され、複数の内導体２１を収容可能とされている。内導体２１は、上下方向に複数段（本実施例では２段）にわけて配され、各段に複数（本実施例では３個）が並べられている。外導体２３は、導電性の金属板であって、誘電体２２の上面側を覆う上側シェル２４と、下面側を覆う下側シェル２５とを有している。上側シェル２４と下側シェル２５とは上下方向に合体される。外導体２３の後端部は、シールドケーブル１０の端末部において露出されたシールド部材１２の外周面に沿って圧着されている。
【００１６】
ハウジング３０は、絶縁性の合成樹脂製であって、シールド端子２０が収容される端子収容部３１と、端子収容部３１の外周を包囲する外筒部３２とを備えている。端子収容部３１と外筒部３２との間の空間は、相手側コネクタ８０のフード部８２が嵌合される嵌合空間３３とされている。端子収容部３１と外筒部３２とは繋ぎ部３４によって一体に連結されている。嵌合空間３３の奥端部には、相手側コネクタ８０とコネクタＣとの嵌合部を液密状にシールするゴムリング３５が嵌着されている。
【００１７】
端子収容部３１には、シールド端子２０に係止してシールド端子２０を抜け止めする端子係止部３６が設けられている。端子係止部３６は、前端が自由端の片持ち状をなし、シールド端子２０の外導体２３に係止する。
【００１８】
ハウジング３０の上面には、相手側コネクタ８０とコネクタＣとを正規の嵌合状態にロックするロックアーム３７が設けられている。また、ロックアーム３７の両側には、一対の保護壁３８が立ち上がっている。保護壁３８は、繋ぎ部３４よりも後側に突出して設けられ、ロックアーム３７の後端までを覆っている。
【００１９】
ハウジング３０の後部には、端子収容部３１に連なって後方に開口した円筒形状をなす筒状部３９が設けられている。筒状部３９は、端子収容部３１から後側に引き出されているシールドケーブル１０を包囲する。
【００２０】
筒状部３９の内側には、ゴム栓５０が収容されている。筒状部３９の内周面のうちゴム栓５０が密着する部分は凹凸のない円弧面とされている（図３参照）。また、筒状部３９の外周面の後端部（一対の保護壁３８よりも後側の部分）は、後述するゴム栓ホルダ６０の周壁６２が被さる部分とされている。
【００２１】
ハウジング３０には、後述するゴム栓ホルダ６０の離脱を防ぐロック構造を構成するロック突起４１が設けられている（図１０参照）。ロック突起４１は、筒状部３９の外周面に突設されている。ロック突起４１は、筒状部３９の幅方向（径方向）の両側に一対が設けられている。一対のロック突起４１は、筒状部３９の中心軸を基準に対称とされている。
【００２２】
ロック突起４１の前面は、ゴム栓ホルダ６０のロック片６６が係止するハウジング側係止面４２とされている。ハウジング側係止面４２は、前後方向に対して直交する切り立った面とされている。ロック突起４１の後面は、ロック片６６の乗り上がりを誘導する誘導面４３とされている。誘導面４３は、ロック突起４１の後端から前方に向かって次第に突出寸法が増すように傾斜している。
【００２３】
ハウジング３０の後端部（筒状部３９の後端部）には、前後方向に対して傾斜した傾斜面（以後、ハウジング側傾斜面４４と称する）が形成されている。ハウジング側傾斜面４４については、後ほど詳しく説明する。
【００２４】
コネクタＣは、筒状部３９に嵌め入れられるゴム栓５０を有している。ゴム栓５０は、シリコンゴムなどのゴム製であって、筒状部３９の内側を通って後方に引き出されるシールドケーブル１０の外周面に液密状に密着するとともに筒状部３９の内周面に液密状に密着する。ゴム栓５０は、全体としてシールドケーブル１０の外形に沿った円筒形状をなし、ゴム栓５０の略中心部には、シールドケーブル１０が挿通される挿通孔５１が形成されている。挿通孔５１の内周面は、ゴム栓５０の全長に渡り略同形の円形状をなしている。
【００２５】
ゴム栓５０は、ハウジング３０の筒状部３９に嵌合する本体部５２と、後述するゴム栓ホルダ６０の貫通孔６３に嵌合する嵌合部５３とを備えている。
本体部５２の外周面には、複数の外周リップ部５４が突設されている。外周リップ部５４は、筒状部３９の内周面に弾性的に密着する。また、本体部５２の内周面には、複数の内周リップ部５５が突設されている。内周リップ部５５は、シールドケーブル１０の外周面に弾性的に密着する。
【００２６】
嵌合部５３は、ゴム栓ホルダ６０の貫通孔６３に整合した円筒状をなしている。嵌合部５３の外径寸法は、本体部５２の外径寸法よりも一回り小さくされている。嵌合部５３は、後述するゴム栓ホルダ６０の貫通孔６３を貫通して後壁６１よりも後側に突出する。
【００２７】
本体部５２と嵌合部５３との間には、筒状部３９の後端部とゴム栓ホルダ６０の後壁６１との間に配される鍔部５６が設けられている。鍔部５６については、後ほど詳しく説明する。
【００２８】
コネクタＣは、ゴム栓５０の後側に取り付けられてゴム栓５０の離脱を防ぐゴム栓ホルダ６０を有している。ゴム栓ホルダ６０は、合成樹脂製であって、全体として筒状部３９に被さるキャップ状をなしている。
【００２９】
ゴム栓ホルダ６０は、ゴム栓５０の後面（鍔部５６の後面）と対向する後壁６１と、筒状部３９の外周面を覆う周壁６２とを備えている。後壁６１は、円環状をなし、中心部には、シールドケーブル１０を遊挿状態で通す貫通孔６３が形成されている。後壁６１は、前後方向に対して直交する壁面を有し、鍔部５６の後面を覆っている。
【００３０】
周壁６２は、後壁６１の外周縁から前方に突出している。周壁６２は、筒状部３９の後端部に外嵌可能な円筒状をなし、概ね筒状部３９の全周を覆う。周壁６２は、筒状部３９の上面側を覆う上面壁６４と（図７参照）、筒状部３９の下面側を覆う下面壁６５とを有している（図８参照）。上面壁６４は、保護壁３８の後端近傍まで覆っている。下面壁６５は、上面壁６４よりも後壁６１からの突出寸法が大きくされ、外筒部３２の後端近傍まで覆っている。下面壁６５には、筒状部３９の外周面に突設されたリブ４６が差し込まれる溝６５Ａが、前後方向に細長い形状で形成されている。
【００３１】
ゴム栓ホルダ６０には、ゴム栓ホルダ６０の離脱を防ぐロック構造を構成するロック片６６が設けられている（図９参照）。ロック片６６は、前端が自由端である片持ち状をなし、ハウジング３０のロック突起４１に対応した位置（ゴム栓ホルダ６０の幅方向における両端）に一対が設けられている。ロック片６６は、上面壁６４と下面壁６５との間に設けられ、後壁６１から前方へ突出している。ロック片６６の内面は、図２に示すように、筒状部３９の外周面に沿う円弧面とされている。
【００３２】
ロック片６６は、前後方向に長い一対のアーム部６７を有し、一対のアーム部６７の前端部に、ロック突起４１に係止するロック部６８が渡されている。ロック部６８の後面は、図１０に示すように、ハウジング側係止面４２に係止するホルダ側係止面６９とされている。ホルダ側係止面６９は、前後方向に対して直交する面とされている。
【００３３】
さて、ゴム栓５０は、図１０に示すように、同ゴム栓５０の外周面に突設された鍔部５６と、鍔部５６から前方に突出して筒状部３９の後端部に当接する突条部５７とを有している。鍔部５６は、ゴム栓５０の前後方向における中心よりも後側に寄った位置に設けられている。鍔部５６は、ゴム栓５０の外周面からゴム栓５０の軸方向に対して直交方向に突出し、ゴム栓５０の軸方向に対して直交する板面を有している。
【００３４】
鍔部５６は、ゴム栓５０の全周に連続して設けられ、ゴム栓５０の外周面からの突出寸法は全周において一定とされている。鍔部５６は、外周リップ部５４よりも外側に突出している。鍔部５６は、鍔部５６の厚さ寸法（前後方向の寸法）は、全周において一定とされている。
【００３５】
突条部５７は、鍔部５６の前面に突設されている。突条部５７は、鍔部５６の全周に連続して設けられ、正面から見ると全周が閉じた円環状をなしている。突条部５７は、鍔部５６の外周縁に沿って設けられている。突条部５７は、鍔部５６の突出方向（ゴム栓５０の径方向）における略半分の領域に形成されている。なお、鍔部５６の後面は、凹凸の無い平坦な面とされている。
【００３６】
筒状部３９の後端部と突条部５７との当接面には、図１０に示すように、前後方向に対して傾斜したハウジング側傾斜面４４及びゴム栓側傾斜面５８が形成されている。
【００３７】
ハウジング側傾斜面４４は、筒状部３９の後端部のうち外周側の縁に沿って設けられている。ハウジング側傾斜面４４は、筒状部３９の外周縁に沿って全周にわたり連続している。ハウジング側傾斜面４４は、後端から前方に向かって次第に筒状部３９の外径寸法が大きくなるように傾斜し、言い換えると、ハウジング側傾斜面４４に後方から当接した突条部５７を前方に向かって外側に滑らせるような傾斜をなしている。ハウジング側傾斜面４４の幅寸法（筒状部３９の径方向における寸法）は、全周にわたり一定とされている。なお、筒状部３９の後端部の内周縁には、前方に向かって内径寸法が小さくなるように傾斜したテーパ部４５が形成されている。
【００３８】
ゴム栓側傾斜面５８は、突条部５７のうち径方向の内側の面（内周面）に形成されている。ゴム栓側傾斜面５８は、突条部５７の内周面に沿って全周にわたり連続している。ゴム栓側傾斜面５８は、ハウジング側傾斜面４４と同じ向きで傾斜し、言い換えると、後端から前方に向かって次第に突条部５７の内径寸法が大きくなるように傾斜している。ゴム栓側傾斜面５８とハウジング側傾斜面４４とは傾斜角が同等とされている。ゴム栓側傾斜面５８の幅寸法（ゴム栓５０の径方向における寸法）は、ハウジング側傾斜面４４の幅寸法よりも大きくされている。言い換えると、ハウジング側傾斜面４４の前後方向の寸法よりもゴム栓側傾斜面５８の前後方向の寸法が大きくされている。なお、突条部５７の外周面は、鍔部５６の径方向における端に位置し、ゴム栓５０の軸方向に平行な面とされている。
【００３９】
相手側コネクタ８０は、コネクタＣと同様の構成を有するシールドコネクタである。相手側コネクタ８０は、コネクタＣと同様に、相手側シールドケーブル８６の端末部に接続された相手側シールド端子８３が内部に収容される相手側ハウジング８１を有し、相手側ハウジング８１の後部には、後方に開口する筒状部８９が設けられている。
【００４０】
相手側シールド端子８３は、前方に突出するタブ部８４を有する雄型の端子金具である。相手側ハウジング８１の前部には、前方に開口してコネクタＣの嵌合空間３３に嵌合するフード部８２が設けられている。相手側ハウジング８１の上面には、ロックアーム３７が係止するロック受け部８５が突設されている。
【００４１】
筒状部８９には、相手側シールドケーブル８６の外周面に液密状に密着するとともに筒状部８９の内周面に液密状に密着する相手側ゴム栓８７が嵌め入れられ、相手側ゴム栓８７の後側には、相手側ゴム栓８７の離脱を防ぐ相手側ゴム栓ホルダ８８が取り付けられている。相手側ハウジング８１及び相手側ゴム栓ホルダ８８は、コネクタＣと同様、互いに前後方向に係止して相手側ゴム栓ホルダ８８の離脱を防ぐロック構造を有している。
【００４２】
相手側ゴム栓８７は、同ゴム栓８７の外周面に突設されて筒状部８９の後端部と相手側ゴム栓ホルダ８８の後壁８８Ａとの間に配される鍔部８７Ａを有し、鍔部８７Ａは、前方に突出して筒状部８９の後端部に当接する突条部８７Ｂを有している。筒状部８９の後端部と突条部８７Ｂとの当接面には、前後方向に対して傾斜したハウジング側傾斜面８９Ａ及びゴム栓側傾斜面８７Ｃが形成されている。
【００４３】
なお、相手側コネクタ８０の相手側シールドケーブル８６、相手側シールド端子８３、相手側ハウジング８１、相手側ゴム栓８７及び相手側ゴム栓ホルダ８８は、それぞれコネクタＣのシールドケーブル１０、シールド端子２０、ハウジング３０、ゴム栓５０及びゴム栓ホルダ６０と、基本構造が同一であるから詳細な説明は省略する。
【００４４】
次に、本実施例におけるコネクタＣの組み立て作業の一例を説明する。
まず、ゴム栓５０及びゴム栓ホルダ６０をシールドケーブル１０に先通しする。ゴム栓５０及びゴム栓ホルダ６０を、シールドケーブル１０の端末部から後方に離れた位置に配置する。
【００４５】
次に、シールドケーブル１０の端末部にシールド端子２０を接続する。内導体２１を誘電体２２に収容し、各電線１１の端末部において露出した導体を内導体２１に半田付けする。その後、誘電体２２の外周に外導体２３を組み付け、シールド部材１２に接続する。
【００４６】
次に、シールド端子２０をハウジング３０に収容する。ハウジング３０の端子収容部３１に後方からシールド端子２０を挿入すると、端子係止部３６がシールド端子２０に係止し、シールド端子２０が抜け止めされる。
【００４７】
次いで、ゴム栓５０を筒状部３９に嵌め入れる。シールドケーブル１０に沿ってゴム栓５０を移動し、本体部５２を筒状部３９に押し込む。外周リップ部５４が弾性的に潰れて筒状部３９の内周面に密着するとともに、内周リップ部５５が弾性的に潰れてシールドケーブル１０の外周面に密着する。鍔部５６は、筒状部３９の後端部に近接し、突条部５７は、ハウジング側傾斜面４４に被さってゴム栓側傾斜面５８がハウジング側傾斜面４４に沿う。
【００４８】
次に、ゴム栓ホルダ６０を筒状部３９に嵌め付ける。シールドケーブル１０に沿ってゴム栓ホルダ６０を移動し、ロック片６６をロック突起４１に位置合わせして、ゴム栓ホルダ６０の周壁６２を筒状部３９に外嵌し押し込む。ロック片６６のロック部６８がロック突起４１の誘導面４３の傾斜に誘導され、ロック片６６が外側に弾性撓みし、やがてロック部６８がロック突起４１を乗り越えてロック片６６が弾性復帰する。ロック部６８とロック突起４１とが、互いに前後方向に係止し、ゴム栓ホルダ６０の離脱が防止される。
【００４９】
ロック部６８がロック突起４１を乗り越える際には、ゴム栓ホルダ６０の後壁６１がゴム栓５０の後面（鍔部５６の後面）を押圧し、鍔部５６及び突条部５７が前後方向に弾性収縮し、ロック部６８がロック突起４１を乗り越えた後には、ゴム栓ホルダ６０は、鍔部５６及び突条部５７の弾性復元力で若干後退する。このとき、筒状部３９の後端部とゴム栓ホルダ６０の後壁６１との間の間隔は広がるけれども、鍔部５６及び突条部５７が隙間を塞いだ状態になっている。この状態では、突条部５７のゴム栓側傾斜面５８と筒状部３９のハウジング側傾斜面８９Ａとが当接し、この当接面において前後方向の力が斜め方向（前後方向に対して交差する方向）に分散されている。また、突条部５７はハウジング側傾斜面４４に沿って若干外側に変位している。
以上により、コネクタＣの組み立て作業が完了する。
【００５０】
次に、上記のように構成された実施例の作用および効果について説明する。
本実施例のコネクタＣは、シールドケーブル１０の端末部に接続されたシールド端子２０が内部に収容されるとともに後方に開口する筒状部３９が後部に設けられているハウジング３０を有し、筒状部３９には、筒状部３９の内側を通って後方に引き出されるシールドケーブル１０の外周面に液密状に密着するとともに筒状部３９の内周面に液密状に密着するゴム栓５０が嵌め入れられ、ゴム栓５０の後側には、ゴム栓５０の離脱を防ぐゴム栓ホルダ６０が取り付けられている。ゴム栓ホルダ６０は、ゴム栓５０の後面と対向する後壁６１を有し、ハウジング３０及びゴム栓ホルダ６０は、互いに前後方向に係止してゴム栓ホルダ６０の離脱を防ぐロック突起４１及びロック片６６を有し、ゴム栓５０は、同ゴム栓５０の外周面に突設されて筒状部３９の後端部とゴム栓ホルダ６０の後壁６１との間に配される鍔部５６を有し、鍔部５６は、前方に突出して筒状部３９の後端部に当接する突条部５７を有している。筒状部３９の後端部と突条部５７との当接面には、前後方向に対して傾斜したハウジング側傾斜面４４及びゴム栓側傾斜面５８が形成されている。
【００５１】
この構成によれば、鍔部５６及び突条部５７によって、ゴム栓５０の後端部とゴム栓ホルダ６０の後壁６１との間の隙間が塞がれるから、防水性を高めることができる。また、筒状部３９の後端部と突条部５７との当接面に形成されたハウジング側傾斜面４４及びゴム栓側傾斜面５８の傾斜によって、鍔部５６及び突条部５７の弾発力が前後方向（ゴム栓ホルダ６０の離脱方向と平行な方向）に対して交差する方向に分散されるので、ゴム栓ホルダ６０が過度の力で離脱方向に押圧されることを防ぐことができる。
【００５２】
また、ハウジング側傾斜面４４が、筒状部３９の後端部のうち外周側の縁に沿って設けられている。この構成によれば、ハウジング側傾斜面４４に当接した突条部５７が、筒状部３９の外側へ逃げることができる。
【００５３】
＜他の実施例＞
本発明は上記記述及び図面によって説明した実施例に限定されるものではなく、例えば次のような実施例も本発明の技術的範囲に含まれる。
（１）上記実施例では、突条部５７が、鍔部５６の外周縁に沿って設けられているが、これに限らず、突条部を、鍔部の中間部または内周縁に沿って設けてもよい。
（２）上記実施例では、コネクタＣがシールドケーブル１０の端末に接続されたシールドコネクタである場合を例示したが、これに限らず、コネクタは、シースで覆われていない複数の電線の束の端末に接続されたものであってもよい。このような場合には、ゴム栓は、複数の挿通孔が形成されたものとなる。
（３）上記実施例では、コネクタＣがシールドケーブル１０の端末に接続されたシールドコネクタである場合を例示したが、これに限らず、コネクタは、シールドのない非シールドケーブルの端末に接続されたものであってもよい。
（４）上記実施例では、コネクタＣの内部にシールド端子２０が収容される場合を例示したが、これに限らず、コネクタは、シールドのない端子金具が収容されるものでもよい。
（５）上記実施例では、筒状部３９の後端部と突条部５７との当接面の両方にハウジング側傾斜面４４及びゴム栓側傾斜面５８が設けられているが、これに限らず、筒状部の後端部と突条部との当接面のいずれか一方のみに傾斜面を形成してもよい。
（６）上記実施例では、ゴム栓ホルダ６０の離脱を防ぐロック構造として、ロック突起４１及びロック片６６を例示したが、これに限らず、ロック構造は、互いに前後方向に係止するものであれば、他の構造に変更することができる。
【符号の説明】
【００５４】
Ｃ…コネクタ（防水コネクタ）
１０…シールドケーブル（電線）
２０…シールド端子（端子金具）
３０…ハウジング
３９…筒状部
４１…ロック突起（ロック構造）
４４…ハウジング側傾斜面（傾斜面）
５０…ゴム栓
５６…鍔部
５７…突条部
５８…ゴム栓側傾斜面（傾斜面）
６０…ゴム栓ホルダ
６１…後壁
６６…ロック片（ロック構造）
【図１】
2018160315.tif 000003
【図２】
2018160315.tif 000004
【図３】
2018160315.tif 000005
【図４】
2018160315.tif 000006
【図５】
2018160315.tif 000007
【図６】
2018160315.tif 000008
【図７】
2018160315.tif 000009
【図８】
2018160315.tif 000010
【図９】
2018160315.tif 000011
【図１０】
2018160315.tif 000012